(57)【要約】【課題】配線の総配線長を削減可能な冷蔵庫において、構造を簡易化しコストを抑制する。【解決手段】冷蔵庫１の庫内を照らす庫内灯１１と、庫内灯１１の点灯または消灯を切り替えるドアスイッチ１２と、冷蔵庫が備える各種機能を操作する操作スイッチ１３と、エバポレータ１４とを備えている。庫内灯１１、ドアスイッチ１２および操作スイッチ１３を集約して備えるコントロールユニット１５は、エバポレータ１４に固定されている。【選択図】図１
2014009903.tif 000002
【特許請求の範囲】
【請求項１】
冷蔵庫の庫内を照らす庫内灯と、
上記冷蔵庫が備える、ドアの開閉に応じて上記庫内灯の点灯または消灯を切り替えるドアスイッチと、
上記庫内の温度設定を含む各種機能を操作する操作スイッチと、
上記庫内に配設されたエバポレータとを備え、さらに、
上記庫内灯、上記ドアスイッチおよび上記操作スイッチを集約して備えるコントロールユニットは、上記エバポレータに固定されていることを特徴とする冷蔵庫。
【請求項２】
上記ドアスイッチは、閉まっている状態の上記ドアに対して対向する位置に配設されており、上記ドアが備えるドア突出部が作用する力の方向に対して、およそ垂直な方向に押し込まれることによって、上記ドアは閉状態であることを検知することを特徴とする請求項１に記載の冷蔵庫。
【請求項３】
上記エバポレータは、コの字形またはロの字形に形成され、かつ、上記庫内の上部に配設されており、
上記コントロールユニットは、上記エバポレータにはめ込み固定可能な形状であることを特徴とする請求項１または２に記載の冷蔵庫。
【請求項４】
上記庫内灯は、上記エバポレータの下面を境にして、その上側および下側のいずれの空間も照明可能な位置に配設されていることを特徴とする請求項１から３のいずれか１項に記載の冷蔵庫。
【発明の詳細な説明】
【技術分野】
【０００１】
本発明は、庫内灯および各種スイッチを庫内に備える冷蔵庫に関する。
【背景技術】
【０００２】
冷蔵庫の庫内に、さまざまな電機部品を備えている冷蔵庫が一般的である。電機部品とは、たとえば、庫内を照らす庫内灯、ドアの開閉を検知して上記庫内灯の点灯または消灯を切り替えるドアスイッチ、庫内の温度を設定するための温度設定スイッチ、および、運転動作切り替え用のモード切替スイッチである。以下において、温度設定スイッチ、モード切替スイッチなど冷蔵庫が備える各種機能を操作するスイッチを、操作スイッチと総称する。各電気部品を配設する位置は、各電気部品の機能、配設に要するスペースなどを考慮して適宜決定される。
【０００３】
従来の冷蔵庫において、各電気部品は、互いに離れて配設されている場合がある。この場合、各電機部品を互いに接続する配線の総配線長が増加する。したがって、このような冷蔵庫は、配線材料のコストが高くなるという課題を有している。
【０００４】
この課題を解決する技術として、特許文献１には、貯蔵室を形成する内箱の開口部近傍の内側壁に断熱材側に凹陥する収納部を形成した冷蔵庫が記載されている。この冷蔵庫において、温度調節装置（操作スイッチ）、庫内灯、庫内灯を点灯あるいは消灯させるドアスイッチ、および、前記各電気部品を取り付けた単一の回路基板を収納したパネル部は、上記収納部に配設されている。また、特許文献２には、庫内照明灯、ドアスイッチおよび操作スイッチ部を収納したボックスを、前面開口の冷蔵庫本体の上壁前部に設置している冷蔵庫が記載されている。
【先行技術文献】
【特許文献】
【０００５】
【特許文献１】特開２００８−８９２４４号公報（２００８年４月１７日公開）
【特許文献２】特開２００４−２３９４５２号公報（２００４年８月２６日公開）
【発明の概要】
【発明が解決しようとする課題】
【０００６】
しかし、特許文献１に記載の技術では、上記収納部を要するので上記収納部を形成するコストが生じるので、生産コストは高くなる。また、特許文献２に記載の技術において、上記ボックスは、冷蔵庫本体の上壁前部に配設されている。上記ボックスは、冷蔵庫本体から突出するので、冷蔵庫を出荷する際の梱包サイズが大きくなり、梱包コストおよび運搬コストは高くなる。
【０００７】
本発明は、これらの課題を鑑みてなされたものであり、配設される配線の総配線長を削減可能な冷蔵庫において、構造を簡易化しコストを抑制することを目的としている。
【課題を解決するための手段】
【０００８】
本発明に係る冷蔵庫は、上記の課題を解決するために、冷蔵庫の庫内を照らす庫内灯と、上記冷蔵庫が備えるドアの開閉に応じて上記庫内灯の点灯または消灯を切り替えるドアスイッチと、上記庫内の温度設定を含む各種機能を操作する操作スイッチと、上記庫内に配設されたエバポレータとを備え、さらに、上記庫内灯、上記ドアスイッチおよび上記操作スイッチを集約して備えるコントロールユニットは、上記エバポレータに固定されていることを特徴とする。
【０００９】
上記の構成によれば、コントロールユニットは、庫内灯、ドアスイッチおよび操作スイッチを集約して備えている。以下において、庫内灯、ドアスイッチおよび操作スイッチをまとめて電気部品ユニットとも表現する。庫内灯、ドアスイッチおよび操作スイッチがそれぞれ異なる場所に配設されている場合と比較して、本発明に係る冷蔵庫は、使用する配線の総配線長を削減可能である。また、配線を庫内に導入するために、庫内内壁に設ける開口部の数も削減可能である。以上のことから、本発明に係る冷蔵庫は、生産コストを抑制可能である。
【００１０】
さらに、本発明に係る冷蔵庫において、電気部品ユニットを配設するための特別な構造を、庫内の内壁に設ける必要がない。すなわち、簡易な構造を有するので、生産コストをさらに抑制可能である。また、電気部品ユニットは庫内に配設されているため、庫外に突出しない。したがって、冷蔵庫を出荷する際に生じる梱包コストおよび運搬コストを抑制可能である。
【００１１】
以上のように、本発明は、配設される配線の総配線長を削減可能な冷蔵庫において、構造を簡易化し、コストを抑制可能な冷蔵庫を提供する。
【００１２】
また、本発明の一態様に係る冷蔵庫では、さらに、上記ドアスイッチは、閉まっている状態の上記ドアに対して対向する位置に配設されており、上記ドアが備えるドア突出部が作用する力の方向に対して、およそ垂直な方向に押し込まれることによって、上記ドアは閉状態であることを検知することが好ましい。
【００１３】
一般的に、冷蔵庫は、飲食物を出し入れするための前面開口部を備えている。上記の構成によれば、ドアスイッチは、閉まっている状態のドアに対して対向する位置に配設されており、庫内の側面に突出部を形成しない。したがって、上記前面開口部の面積を減少させることがなく、飲食物の出し入れを妨げない。すなわち、ユーザの使い勝手が向上する。
【００１４】
また、本発明の一態様に係る冷蔵庫では、さらに、上記エバポレータは、コの字形またはロの字形に形成され、かつ、上記庫内の上部に配設されており、上記コントロールユニットは、上記エバポレータにはめ込み固定可能な形状であることが好ましい。
【００１５】
上記の構成によれば、エバポレータに対して、コントロールユニットを容易に固定することが可能である。したがって、生産工程は簡易化され、生産コストは抑制される。また、コントロールユニットをエバポレータにはめ込み固定することによって、エバポレータは、所定の形状を保持することが容易になる。
【００１６】
また、本発明の一態様に係る冷蔵庫では、さらに、上記庫内灯は、上記エバポレータの下面を境にして、その上側および下側のいずれの空間も照明可能な位置に配設されていることが好ましい。
【００１７】
一般的に、エバポレータによって囲まれている空間は、当該空間の外側より低い温度に制御されており、たとえば製氷室として機能する。一方、庫内における製氷室を除く空間は冷蔵室として機能する。上記の構成によれば、庫内灯は、冷蔵室および製氷室のいずれの空間も照明可能である。したがって、冷蔵室および製氷室を照明するために、別個の灯具を設ける必要がない。
【発明の効果】
【００１８】
本発明に係る冷蔵庫は、冷蔵庫の庫内を照らす庫内灯と、上記冷蔵庫が備えるドアの開閉に応じて、上記庫内灯の点灯または消灯を切り替えるドアスイッチと、上記庫内の温度設定を含む各種機能を操作する操作スイッチと、上記庫内に設置されたエバポレータとを備えている。さらに、上記庫内灯、上記ドアスイッチおよび上記操作スイッチを集約して備えるコントロールユニットは、上記エバポレータに固定されている。
【００１９】
それゆえ、配設される配線の総配線長を削減可能な冷蔵庫において、構造を簡易化しコストを抑制する効果を奏する。
【図面の簡単な説明】
【００２０】
【図１】本発明の一実施形態に係る冷蔵庫の概略を示す斜視図である。
【図２】上記冷蔵庫が備える庫内灯、ドアスイッチおよび操作スイッチの概略を示す斜視図である。
【図３】上記冷蔵庫が備えるドアスイッチが、ドアの開状態および閉状態を検知する様子を示す上面図である。（ａ）は開状態を示し、（ｂ）は閉状態を示す。
【図４】上記冷蔵庫が備えるコントロールユニットを、エバポレータにはめ込み固定する様子を示す斜視図である。
【図５】上記冷蔵庫が備える配線の概略を示す斜視図である。
【図６】比較例に係る冷蔵庫が備えるドアスイッチが、ドアの開状態および閉状態を検知する様子を示す上面図である。（ａ）は開状態を示し、（ｂ）は閉状態を示す。
【図７】比較例に係る冷蔵庫が備える配線の概略を示す斜視図である。
【図８】本発明の一実施例に係る冷蔵庫、および、比較例に係る冷蔵庫が、それぞれ備える配線の総配線長を比較する図である。
【発明を実施するための形態】
【００２１】
（冷蔵庫１の概要）
本発明の一実施形態に係る冷蔵庫１について、図１〜５を参照しながら説明する。図１は、冷蔵庫１の概略を示す斜視図である。図２は、冷蔵庫１が備える庫内灯１１、ドアスイッチ１２および操作スイッチ１３の概略を示す斜視図である。図１および２に示すように、冷蔵庫１は、庫内２０を照らす庫内灯１１と、冷蔵庫１が備えるドアの開閉に応じて庫内灯１１の点灯または消灯を切り替えるドアスイッチ１２と、庫内２０の温度設定を含む各種機能を操作する操作スイッチ１３と、庫内２０に配設されたエバポレータ１４とを備えている。さらに、庫内灯１１、ドアスイッチ１２および操作スイッチ１３を集約して備えるコントロールユニット１５は、エバポレータ１４に固定されている。
【００２２】
冷蔵庫１において、庫内２０は冷蔵室として機能する。一方、エバポレータ１４、コントロールユニット１５および製氷室ドア１６によって形成される空間は、当該空間の外側より低い温度に制御されており、たとえば製氷室として機能する。このように、冷蔵庫１は、冷蔵室および製氷室を備えている。
【００２３】
（外箱１７およびドア１８）
冷蔵庫１は、外箱１７と、図１には図示しないドア１８とを備えている。以下において、閉じたドア１８が形成する面を、冷蔵庫１の前面、または、外箱１７の前面と表現する。また、ユーザが冷蔵庫１の前面に対向した際に、ユーザに近い側を手前、ユーザから遠い側を奥と表現する。
【００２４】
外箱１７は、その前面に前面開口部（図示せず）を備えている。ドア１８は、前面開口部を開閉自在なように配設されており、その一部は外箱１７によって支持されている。図３に示すように、外箱１７は、側面外壁１７ａおよび側面内壁１７ｂを備えている。側面外壁１７ａおよび側面内壁１７ｂが形成する空間には、断熱材が充填されている。また、後述する配線は、当該空間内に配設されている。
【００２５】
（庫内灯１１）
庫内灯１１は、冷蔵庫１の内部を照明する照明部材である。図１に示すように、冷蔵庫を前面側から見た際に、庫内灯１１は、コントロールユニット１５の右下部に配設され、庫内２０の奥方向および下方向を照明する。図２に示すように、庫内灯１１は、灯具１１ａおよび透明部材１１ｂを備えており、灯具１１ａの周囲は、透明部材１１ｂによって形成されている。灯具１１ａは、たとえば発光ダイオード（ＬＥＤ）であることが好ましい。灯具１１ａは、ＬＥＤに限定されるものではなく、庫内２０を照明可能な灯具であればよい。
【００２６】
庫内灯１１は、エバポレータ１４の下面を境にして、その上側および下側のいずれの空間も照明可能な位置に配設されていることが好ましい。もしくは、庫内灯１１の一部は、後述するエバポレータ１４の下面が形成する面に配設されていることが好ましい。上記の構成によれば、庫内灯１１は、冷蔵室である庫内２０および製氷室のいずれの空間も照明可能である。したがって、冷蔵室および製氷室を照明するために、別個の灯具を複数設ける必要がなく、冷蔵庫１の生産コストを抑制可能である。
【００２７】
庫内灯１１は、庫内２０の上方から奥方向および下方向を照明するので、ユーザが飲食物を出し入れする際に逆光とならず、ユーザの使い勝手を向上させる。
【００２８】
なお、本実施形態において、庫内灯１１は、冷蔵庫を前面側から見た際に、コントロールユニット１５の右下部に配設されているが、左下部に配設されていてもよい。庫内灯１１をコントロールユニット１５の右下部または左下部のいずれに配設するかは、ドア１８の開閉方向、ドアスイッチ１２の態様などに応じて適宜選択すればよい。
【００２９】
（ドアスイッチ１２）
ドアスイッチ１２は、ドア１８の開閉を検知し、その検知結果に応じて庫内灯１１の点灯または消灯を切り替えるスイッチである。以下において、ドア１８が開いている状態を開状態と表現し、閉まっている状態を閉状態と表現する。ドアスイッチ１２は、ドア１８が開状態であれば庫内灯１１を点灯し、ドア１８が閉状態であれば消灯する。
【００３０】
図３は、ドアスイッチ１２が、ドアの開状態および閉状態を検知する様子を示す上面図である。図３（ａ）は開状態を示し、図３（ｂ）は閉状態を示す。ドアスイッチ１２は、閉状態であるドア１８に対して対向する位置に配設されている。図２および図３（ａ）に示すように、ドアスイッチ１２は、中心角がたとえば９０°の扇形であり、言い換えれば、２本の直線および１本の曲線からなる形状である。ドアスイッチ１２は、２本の直線の交点近傍を回転軸として回転自在なように、コントロールユニット１５に対して固定されている。
【００３１】
ドア１８は、ドア突出部１９を備えている。ドア突出部１９は、ドアの内側に配設されるドアポケットの一部であってもよい。ドア１８が開状態であれば、ドアスイッチ１２とドア突出部１９とは互いに離間している（図３（ａ）参照）。
【００３２】
ドア１８を閉めるにしたがって、ドアスイッチ１２とドア突出部１９との距離は次第に減少し、やがて、互いに接触する。更にドア１８を閉めると、ドア突出部１９は、ドアスイッチ１２に対して力を作用する。より具体的には、ドア突出部１９は、図３（ａ）における右方向にドアスイッチ１２を押す。ドア突出部１９に押されることによって、ドアスイッチ１２は回転する。その結果、ドアスイッチ１２は、ドア突出部１９が作用する力の方向に対して、およそ垂直な方向に押し込まれる（図３（ｂ）参照）。ドアスイッチ１２は、押し込まれている際にドア１８が閉状態であることを検知し、押し込まれていない際に開状態であることを検知する。
【００３３】
閉状態のドア１８に対向する位置にドアスイッチ１２が配設されていることによって、平坦な側面内壁１７ｂ（庫内２０の側面）を形成可能である。すなわち、側面内壁１７ｂを凹陥させたり、突出させたりといった特別な構造を形成する工程が不要である。したがって、冷蔵庫１の生産コストを抑制可能である。また、ドアスイッチ１２が側面内壁１７ｂに配設されていないので、冷蔵庫１が備える前面開口部の面積を減少させない。したがって、ドアスイッチ１２は、ユーザが飲食物を出し入れする際の妨げとならない。
【００３４】
（操作スイッチ１３）
操作スイッチ１３は、冷蔵庫１が備える各種機能を操作するスイッチである。当該各種機能は、特に限定されるものではない。たとえば、操作スイッチ１３は、庫内２０の温度を設定するための温度設定スイッチであってもよいし、冷蔵庫１の運転モードを切り替えるモード切替スイッチであってもよい。また、温度設定スイッチおよびモード切替スイッチを１つに集約したスイッチであってもよい。
【００３５】
操作スイッチ１３は、ドア１８を開けた際に、ユーザと対面する位置に配設されている。したがって、ユーザは、操作スイッチ１３を容易に操作することが可能である。すなわち、ユーザの使い勝手は向上する。
【００３６】
（エバポレータ１４）
エバポレータ１４は、冷蔵庫１が備える庫内２０および製氷室を冷却する。製氷室は、庫内２０より低い温度に冷却されている。
【００３７】
本実施形態において、庫内２０を前面側から見た際に、エバポレータ１４の形状はコの字形であることが好ましい（図４参照）。なお、エバポレータ１４の形状はコの字形に限定されるものではなく、たとえばロの字形であってもよい。
【００３８】
本実施形態において、エバポレータ１４は、庫内２０の上部に配設されていることが好ましい。なお、エバポレータ１４を配設する場所は、特に限定されるものではなく、冷蔵庫の用途などに応じて適宜設定すればよい。
【００３９】
（コントロールユニット１５）
図１および図２に示すように、コントロールユニット１５は、庫内灯１１、ドアスイッチ１２および操作スイッチ１３を集約して備えている。本実施形態において、庫内灯１１、ドアスイッチ１２および操作スイッチ１３を、まとめて電気部品ユニットとも表現する。
【００４０】
コントロールユニット１５は、エバポレータ１４にはめ込み固定可能な形状、より具体的には枠形状を有することが好ましい。図４に示すように、コントロールユニット１５はエバポレータ１４に対してはめ込み固定する。言い換えれば、コントロールユニット１５は、エバポレータ１４によって保持される。したがって、コントロールユニット１５を保持する部材を、庫内２０の内壁に別途設ける必要がない。このように、容易にコントロールユニット１５を保持可能なので、冷蔵庫１の生産工程は簡易化され、生産コストは抑制される。
【００４１】
また、コントロールユニット１５をエバポレータ１４にはめ込み固定することによって、エバポレータ１４およびコントロールユニット１５は、複数の点または辺において互いに接触する。この構成は、以下の効果を奏する。
・コントロールユニット１５は、エバポレータ１４によって安定的に保持される。
・コントロールユニット１５は、エバポレータ１４の強度保持部材として機能する。
コントロールユニット１５が強度保持部材として機能することによって、エバポレータ１４は、容易に所定の形状を保持することが可能である。また、製氷室に保存された氷などの重量に起因するエバポレータ１４の変形を抑制可能である。すなわち、エバポレータ１４の強度を容易に高めることが可能となり、エバポレータ１４を設計する際の自由度が高まる。したがって、冷蔵庫１のコストを抑制可能である。
【００４２】
さらに、コントロールユニット１５は庫内２０に配設されるため、電気部品ユニットは外箱１７から突出しない。したがって、冷蔵庫１を出荷する際の梱包コストおよび運搬コストを抑制可能であり、かつ、冷蔵庫１の外観を損ねることもない。
【００４３】
なお、エバポレータ１４とコントロールユニット１５とを互いに固定する方法は、上述のはめ込み固定に限定されるものではない。安定してコントロールユニット１５を固定可能であれば、いかなる固定方法を用いてもよい。当然のことながら、コントロールユニット１５の形状は、はめ込み固定可能な形状、および、枠形状に限定されるものではない。
【００４４】
（配線）
図５を参照しながら、冷蔵庫１に配設される配線について説明する。図５は、冷蔵庫が備える配線の概略を示す斜視図である。なお、コントロールユニット１５、電源２１および配線は、冷蔵庫１の外側から見えない部材であるが、図５では、イメージを把握しやすくするために、外側から見えるかのように示している。
【００４５】
電源２１は、図示しない配線によって、商用電源に接続されている。商用電源とは、たとえば交流１００Ｖを出力する電源である。電源２１は、交流１００Ｖの電力を、所定の電力に変換してコントロールユニット１５に供給する。
【００４６】
本実施形態において、電気部品ユニットは、コントロールユニット１５にまとめて配設されている。したがって、冷蔵庫１が備える配線は、電源２１とコントロールユニット１５とを接続する１組の配線のみである。本実施形態において、電気部品ユニットは、庫内灯１１、ドアスイッチ１２および操作スイッチ１３からなる。したがって、上述の１組の配線は、３本の配線からなる（図５参照）。
【００４７】
庫内灯、ドアスイッチおよび操作スイッチが集約されておらず、それぞれ異なる場所に配設されている場合（後述の比較例）と比較して、冷蔵庫１は、使用する配線の総配線長を削減可能である。
【００４８】
また、上述したように、配線は側面外壁１７ａと側面内壁１７ｂとによって形成される空間に配設されている。したがって、側面内壁１７ｂは、配線を庫内２０に導入するための開口部を備えている。さらに、当該開口部は、断熱材の漏れを防止する防止部材を備えている。
【００４９】
冷蔵庫１において、側面内壁１７ｂが備える上記開口部および上記防止部材は、それぞれ１つである。したがって、冷蔵庫１は、上記開口部を形成する工程数を削減し、配線を配設する工程を簡略化することが可能である。当然のことながら、使用する上記防止部材の数も抑制可能である。
【００５０】
以上のように、冷蔵庫１は、総配線長、および、上記防止部材の使用数を削減可能なので、材料コストを抑制可能である。また、生産工程を簡略化することが可能なので、生産工程に係るコストも抑制可能である。したがって、冷蔵庫１は、配設される配線の総配線長を削減可能な冷蔵庫において、構造を簡易化しコストを抑制する効果を奏する。
【００５１】
（比較例）
図６および図７を参照しながら、比較例に係る冷蔵庫１００について説明する。図６は、ドアスイッチ１１２が、ドア１１８の開状態および閉状態を検知する様子を示す上面図である。図６（ａ）は開状態を示し、図６（ｂ）は閉状態を示す。ドアスイッチ１１２は、ドアスイッチ１２と同様に、ドア突出部１１９によって押し込まれることによって、ドア１１８が閉状態であることを検知し、庫内灯１１１を消灯する。ドアスイッチ１１２は、ドア突出部１１９から受ける力の方向に対して、およそ平行な方向に押し込まれる点においてドアスイッチ１２と異なる。
【００５２】
ドアスイッチ１１２が側面内壁１１７ｂに配設されていることによって、冷蔵庫１００が備える前面開口部の面積が減少し、ユーザの使い勝手が悪化する可能性がある。
【００５３】
また、図７に示すように、冷蔵庫１００において、庫内灯１１１、ドアスイッチ１１２および操作スイッチ１１３は、それぞれは異なる位置に配設されている。したがって、冷蔵庫１００は、電源１２１と庫内灯１１１とを接続する配線、電源１２１と操作スイッチ１１３とを接続する配線、および、電源１２１とドアスイッチ１１２とを接続する配線に加えて、ドアスイッチ１１２と操作スイッチ１１３とを接続する配線、および、ドアスイッチ１１２と庫内灯１１１とを接続する配線を備えている。すなわち、冷蔵庫１００は、５本の配線を備えている。
【００５４】
また、庫内灯１１１、ドアスイッチ１１２および操作スイッチ１１３のそれぞれに対応して、配線を庫内に導入するための開口部、および、断熱材の漏れを防止する防止部材を設ける必要がある。すなわち、冷蔵庫１００は、３つの上記開口部、および、３つの上記防止部材を備えている。
【００５５】
このように、冷蔵庫１００は、冷蔵庫１と比較して、長い総配線長、ならびに、多くの上記開口部および上記防止部材を必要とする。また、冷蔵庫１００における配線を配設するための工程は、冷蔵庫１における同工程よりも煩雑である。したがって、冷蔵庫１００のコストは、冷蔵庫１のコストより高くなる。
【実施例】
【００５６】
上述の実施形態に係る冷蔵庫１と、比較例に係る冷蔵庫１００とを用いて、使用する配線の配線長を比較した。その結果を、図８に示す。冷蔵庫１および冷蔵庫１００の容量は、いずれも１７０リットル（Ｄ５３０ｍｍ×Ｗ５７０ｍｍ×Ｈ１２５０ｍｍ）である。
【００５７】
冷蔵庫１は、電源２１とコントロールユニット１５とを接続する３本の配線を備えている。各配線の長さは１０００ｍｍであり、配線長の合計は３０００ｍｍであった。一方、冷蔵庫１００は、上述したように５本の配線を備えている。そして、配線長の合計は４２００ｍｍであった。したがって、冷蔵庫１は、冷蔵庫１００に対して総配線長を１２００ｍｍ削減した。
【００５８】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５９】
本発明によって、冷蔵庫内の電気部品の配線を削減できるため部材コストの削減を図ることができ、その配線の構成もシンプルにできるため、配線作業が簡素化され、製造コストの削減も図れる。
【符号の説明】
【００６０】
１    冷蔵庫
１１    庫内灯
１１ａ  灯具
１１ｂ  透明部材
１２    ドアスイッチ
１３    操作スイッチ
１４    エバポレータ
１５    コントロールユニット
１６    製氷室ドア
１７    外箱
１７ａ  側面外壁
１７ｂ  側面内壁
１８    ドア
１９    ドア突出部
２０    庫内
【図１】
2014009903.tif 000003
【図２】
2014009903.tif 000004
【図３】
2014009903.tif 000005
【図４】
2014009903.tif 000006
【図５】
2014009903.tif 000007
【図６】
2014009903.tif 000008
【図７】
2014009903.tif 000009
【図８】
2014009903.tif 000010